(57)【要約】【課題】本発明は、雑草や穀稈切れ等の排除すべき雑物が多く混入する脱穀装置で、穀粒の選別を良好にして収量を多くすることが出来る脱穀装置の選別装置を具現することを課題とする。【解決手段】脱穀室２の受網４下部に唐箕１６からの吹き上げ風を受けて揺動する揺動選別棚１０を設けた脱穀装置１において、揺動選別棚１０のチャフシーブ１２上に唐箕１６からの送風を通す送風間隙Ｒを空けて選別網４０を設けたことを特徴とする脱穀機の選別装置とする。【選択図】図１２
2018068189.tif 000002
【特許請求の範囲】
【請求項１】
脱穀室（２）の受網（４）下部に唐箕（１６）からの吹き上げ風を受けて揺動する揺動選別棚（１０）を設けた脱穀装置（１）において、前記揺動選別棚（１０）のチャフシーブ（１２）上に前記唐箕（１６）からの送風を通す送風間隙（Ｒ）を空けて選別網（４０）を設けたことを特徴とする脱穀機の選別装置。
【請求項２】
前記唐箕（１６）の送風口（１６Ａ）を前記チャフシーブ（１２）の前記送風間隙（Ｒ）に向けて開口したことを特徴とする請求項１に記載の脱穀機の選別装置。
【請求項３】
前記選別網（４０）の目合を前記チャフシーブ（１２）の下に設けるグレンシ−ブ（１４）の目合よりも大きくしたことを特徴とする請求項１または請求項２に記載の脱穀機の選別装置。
【発明の詳細な説明】
【技術分野】
【０００１】
本発明は、脱穀処理された処理物を受け入れて揺動選別する脱穀機の揺動選別装置に関し、特に穀稈と共に脱穀する汎用コンバインの脱穀装置に適した選別装置に関する。
【背景技術】
【０００２】
汎用コンバインの脱穀装置として、特許文献１に記載の構成がある。穀稈を脱穀する扱室の下部に選別部を設け、この選別部の揺動選別棚上に穀稈切れを粗選別して排除する選別網を配置した構成である。
【先行技術文献】
【特許文献】
【０００３】
【特許文献１】特開２００９−１２５０４２号公報
【発明の概要】
【発明が解決しようとする課題】
【０００４】
前記従来の汎用コンバインの脱穀装置は、揺動選別棚の上に選別網が密着して設けられているために、揺動選別棚の選別効果が十分でなく、選別済みの穀粒に藁屑が多く混入するおそれがある。
【０００５】
本発明は、雑草や穀稈切れ等の排除すべき雑物が多く混入する脱穀装置で、穀粒の選別を良好にして収量を多くすることが出来る脱穀機の選別装置を具現することを課題とする。
【課題を解決するための手段】
【０００６】
上記本発明の課題は、次の技術手段により解決される。
【０００７】
請求項１に記載の発明は、脱穀室２の受網４下部に唐箕１６からの吹き上げ風を受けて揺動する揺動選別棚１０を設けた脱穀装置１において、揺動選別棚１０のチャフシーブ１２上に唐箕１６からの送風を通す送風間隙Ｒを空けて選別網４０を設けたことを特徴とする脱穀機の選別装置とする。
【０００８】
請求項２に記載の発明は、唐箕１６の送風口１６Ａをチャフシーブ１２の送風間隙Ｒに向けて開口したことを特徴とする請求項１に記載の脱穀機の選別装置とする。
【０００９】
請求項３に記載の発明は、選別網４０の目合をチャフシーブ１２の下に設けるグレンシ−ブ１４の目合よりも大きくしたことを特徴とする請求項１または請求項２に記載の脱穀機の選別装置とする。
【発明の効果】
【００１０】
請求項１に記載の発明で、脱穀室２の扱胴で扱かれて受網４上に落下する穀稈切れと穀粒は受網４を通過して選別網４０上に落下し、穀稈切れが唐箕１６からの送風でチャフシーブ１２上の送風間隙Ｒで浮遊しながら後方へ送られ粗選別され、チャフシーブ１２から下へ穀粒が落下するので、特に穀稈切れの多い汎用コンバインの脱穀装置においてチャフシーブ１２上に落下する穀稈切れ等の藁屑が少なくなって、穀粒選別が良好に行われる。
【００１１】
請求項２に記載の発明で、請求項１の効果に加えて、唐箕１６からの送風が送風口１６Ａからチャフシーブ１２上の送風間隙Ｒへ効果的に送られる効果がある。
【００１２】
請求項３に記載の発明で、請求項１の効果に加えて、チャフシーブ１２上で穀粒が穀稈切れ等の藁屑と共に後方へ排出されることを防止し収量の減少を抑制できる。
【図面の簡単な説明】
【００１３】
【図１】脱穀装置の要部の側断面図
【図２】脱穀装置の要部の側断面図
【図３】図１要部の側断面図
【図４】同上要部の拡大側断面図
【図５】図２要部の側断面面
【図６】ストローシーブの側断面図
【図７】同上背面図
【図８】揺動選別装置の要部の側面図
【図９】クリンプ網の平面図
【図１０】揺動選別装置の要部の側面図
【図１１】目抜プレートの平面図
【図１２】揺動選別棚の拡大側断面図
【図１３】揺動選別棚の平面図
【発明を実施するための形態】
【００１４】
この発明の実施例を図面に基づき説明する。
【００１５】
図１及び図２は汎用コンバインの脱穀装置（脱穀機）を示し、次のような構成になっている。
【００１６】
すなわち、脱穀装置１の脱穀室２内には、投入された穀稈を脱穀する軸流型扱胴３を軸装している。脱穀室２の下半周部には受網４が張設され、脱穀室２の前後中間部位には受網４の周部に沿って仕切板５が設けられている。扱胴３の始端部には取込螺旋６が設けられ、扱胴３の周面から多数の棒状の扱歯３ａが突設されている。
【００１７】
脱穀室２下方の揺動選別装置（揺動選別棚）１０は、揺動駆動機構を介して前後方向に揺動駆動されるようになっていて、脱穀処理後の処理物を受け入れて揺動移送しながら篩い選別する構成であり、選別方向上手側から移送棚１１と選別網４０を配置し、選別網４０の下にチャフシーブ１２とストロ−ラック１３を前後に配置し、且つ、前記チャフシ−ブ１２の下方にグレンシ−ブ１４、１番戻し棚１５、前記ストローラック１３の下方には２番戻し棚１５ａを配置して設けた構成としている。
【００１８】
移送棚１１の終端部に篩い線１９を設けて選別網４０の始端部上に臨ませている。
【００１９】
チャフシーブ１２の始端部は選別網４０との間に穀稈切れ等の藁屑が踊る送風間隙Ｒを空け、チャフシーブ１２の終端部は選別網４０に接するように接近させている。送風間隙Ｒは、藁屑や穀粒が前後方向に移動可能な程度に高さ方向の間隔を有するものであり、例えば、チャフシーブ１２の上下高さと略同等とすることができる。
【００２０】
また、揺動選別棚１０の下方には選別方向の上手側から順に、唐箕１６と、１番螺旋１７、２番螺旋１８を配置して設けた構成としている。
【００２１】
前記チャフシーブ１２は、複数のシーブ板２０を前後方向に所定間隔を開けて上下方向に傾斜し、夫々左右の棚側板２２，２２を貫通した取付横軸に上側を取り付け、シーブ板２０の右下側に設けるピンを棚側板２２の複数設ける調整孔に嵌合し、シーブ板２０の左下側をボルトで棚側板２２の弧状長穴に固定して、取付横軸の軸芯Ｑ回りで揺動開閉角度を変更可能な構成で、脱穀室２の左側板を開いてチャフシーブ１２のシーブ板２０の取付ボルトを緩めて角度調整する。
【００２２】
チャフシーブ１２は三分割し、１段目シーブ１２ａより２段目シーブ１２ｂを低位とする第１段差部Ｈ１を設け、更に、第１段差部Ｈ１より下手側位置には、２段目シーブ１２ｂより３段目シーブ１２ｃを低位とする第２段差部Ｈ２を設けている（図３参照）。
【００２３】
そして、各シーブ板２０，２０間の開口度合は、１段目シーブ１２ａの開度ａより２段目シーブ１２ｂの開度ｂが大きく、２段目シーブ１２ｂの開度ｂより３段目シーブの開度ｃが大きくなるように上手側から、ａ＜ｂ＜ｃの順に設定している。
【００２４】
なお、選別網４０は、図示の如く、移送棚１１に続いてストローラック１３の後端まで覆うように設けるが、チャフシーブ１２の後端まで覆うようにしても良い。選別網４０の目合は、受網４よりも小さく、グレンシ−ブ１４よりも大きくする。例えば、稲の場合はグレンシ−ブ１４が目合♯１８で、選別網４０が目合♯２０〜３０とする。
【００２５】
また、選別網４０は、チャフシーブ１２上で目合♯２３の網でストローラック１３上で目合♯３０程度になるように前後二段構成にしても良い、その際に二段目網の前端は一段目網の後端下部に位置させる。
【００２６】
選別網４０は、揺動選別棚１０の左右の棚側板２２にノブボルトで取り付け、穀粒の品種や雑草の混入程度によって、目合の異なる網に交換できるようにする。また、選別網４０は完全クリンプ網として強度を強く搬送作用を良くする。
【００２７】
また、チャフシーブ１２を目合が♯２５〜２０の選別網として三段の網構成にすることも出来る。その際に、上から下に選別網の後端を短くして選別面積を狭くする。
【００２８】
唐箕１６からの選別風の風選経路には、選別風の流れを変向する上下２段の風分流体（フラッパ）２１，２１が設けられている。そして、上段の風選経路２１ａの上送風口１６Ａから吹き出す一次選別風は、チャフシーブ１２の始端側の送風間隙Ｒ及び第１段差部Ｈ１に向けて作用させるように構成している。中段の風選経路２１ｂの中送風口１６Ｂからの二次選別風は主としてグレンシ−ブ１４及び第２段差部Ｈ２に向けて作用させるようにしてあり、また、下段の風選経路２１ｃの下送風口１６Ｃからの三次選別風はストローラック１３又はストローシーブ２６側に向けて作用させるように構成している。
【００２９】
前記ストローラック１３は、図４に示すように、バネ材等の弾性体で構成してあり、ストローラック取付部材２３ａ，２３ｂを上下に２重構成とし、その上部部材２３ａをくの字型に形成して内部に空間を設けた構成としている。ストローラック１３前部の取り付けは、左右の棚側板２２に固定ボルト２４で固定し、ストローラック１３の後部側は棚側板２２にボルト２４で連結している。
【００３０】
稲や麦の作物では、前記のような通常のストローラック１３を使用するが、菜種のような作物では、選別精度を上げるためにストローラック１３に代えて前記のようなチャフシーブ１２と同じ機能をもつストローシーブ２６(図５)と取り替えて使用することができるようになっている。そして、このストローシーブ２６の前部側は、シーブ連結プレート２７を介して棚側板２２にボルト２４で連結し、後部側は棚側板２２にボルト２４で連結するようになっている。ストローシーブの調整箇所に対応する機体側板には、外側からシーブの着脱及び調整が容易にできる点検窓２８を開口している。棚側板２２にはシーブ着脱作業用穴２９が開口されている。
【００３１】
なお、前記ストローシーブ２６は、図６及び図７に示すように、各シーブ板２０の回動支点Ｑを左右のサイドフレーム３０Ｌ，３０Ｒに軸支し、各シーブ板の下端側を前後方向に移動可能なスライドリンク３１で連結し、左右のサイドフレーム３０Ｌ，３０Ｒをリヤフレーム３２によって接合連結した構成としている。
【００３２】
前記グレンシーブ１４は、作物の種類により、通常のクリンプ網１４Ｎと目抜プレート１４Ｐとを変更できるようになっている。例えば、作物が稲や麦の場合は、クリンプ網１４Ｎを使用（図８及び図９参照）し、菜種などの場合は目抜プレート１４Ｐに取り替えて使用（図１０及び図１１参照）する。
【００３３】
目抜プレート１４Ｐによる場合は、選別性能向上のため、プレート先端部を１番戻し棚１５の上端上方近くまで長く延設した構成としている。また、目抜プレートの取り付けは、クリンプ網取付部材３３を使用し、強度アップのため、プレート先端は別体の補強部材３４を介して左右の棚側板２２と目抜プレートを連結保持させた構成としている。
【００３４】
前記１番戻し棚１５の下端側には、ゴム材などで構成された１番側弾性シール３５と２番側弾性シール３６を同一箇所において締付ボルト３７によって共締めした構成としている。２番側弾性シール３６は１番側に２番還元物が入らないようにするためのもので、２番螺旋１８側に向けて下り傾斜に構成している。
【００３５】
コンバインは、騒音が激しいので、負荷増大によって脱穀装置１の軸流型扱胴３の回転が低下したことを駆動音で判断するのが難しいので、操縦部のモニターに回転表示ランプを設け、軸流型扱胴３の回転数或いはエンジンの回転数によって、適正回転数でグリーンに点灯し異常回転になるとグリーン点滅を経てレッドに点灯するようにすると、操縦者が脱穀装置１の異常に気が付き易い。
【符号の説明】
【００３６】
Ｒ  送風間隙
２  脱穀室
４  受網
１０  揺動選別棚
１２  チャフシーブ
１４  グレンシ−ブ
１６  唐箕
１６Ａ  送風口
４０  選別網
【図１】
2018068189.tif 000003
【図２】
2018068189.tif 000004
【図３】
2018068189.tif 000005
【図４】
2018068189.tif 000006
【図５】
2018068189.tif 000007
【図６】
2018068189.tif 000008
【図７】
2018068189.tif 000009
【図８】
2018068189.tif 000010
【図９】
2018068189.tif 000011
【図１０】
2018068189.tif 000012
【図１１】
2018068189.tif 000013
【図１２】
2018068189.tif 000014
【図１３】
2018068189.tif 000015